(57)【特許請求の範囲】
【請求項１】
冷凍サイクルに用いられて冷媒の貯溜と前記冷媒中の水分を除去する機能を有するリキッドタンクであって、有底の円筒状の本体と、当該本体の下端開口部に固着されると共に前記冷媒が流入する入口穴と前記冷媒が流出する出口穴とが形成された円盤状のヘッダと、前記冷媒漏れ検出用の蛍光剤とを備え、
前記入口穴は、前記ヘッダの下端面から上方に向けて延びるとともに先端部が前記出口穴と反対の方向に延びて前記ヘッダの側面に開口するように形成され、
前記ヘッダの上部に設けられる保持手段を介して前記蛍光剤を前記冷媒と接触可能に保持し、
前記保持手段は、前記ヘッダに前記蛍光剤を収容可能に形成された凹部であり、前記凹部に収容された前記蛍光剤の離脱を防止する離脱防止手段を有することを特徴とするリキッドタンク。
【請求項２】
前記凹部は前記本体の円筒内面と対向する前記ヘッダの側面に形成されており、
前記離脱防止手段は、前記凹部に収容された前記蛍光剤が対向する前記本体の円筒内面によって離脱を防止する手段であることを特徴とする請求項１記載のリキッドタンク。
【請求項３】
前記凹部は、前記ヘッダを構成する円盤の内側端部において、当該内側端部に開口する前記入口穴又は前記出口穴を避けて形成されており、
前記離脱防止手段は、前記蛍光剤が前記凹部内に収容された状態で前記凹部の開口縁部に施されたかしめであることを特徴とする請求項１記載のリキッドタンク。
【請求項４】
前記凹部は前記ヘッダにおいて前記入口穴の奥端に形成されており、
前記離脱防止手段は、前記蛍光剤を前記凹部に圧入されることによって離脱を防止する手段であることを特徴とする請求項１記載のリキッドタンク。
【請求項５】
前記凹部は前記ヘッダにおいて前記入口穴の奥端部に形成されており、
前記離脱防止手段は、前記蛍光剤が前記凹部に収容された状態で当該凹部の開口縁部に係止される止め輪であることを特徴とする請求項１記載のリキッドタンク。
【発明の詳細な説明】
【技術分野】
【０００１】
この発明は、冷凍サイクルに用いられるリキッドタンクに関する。
【背景技術】
【０００２】
従来、自動車のエアコン等の冷凍サイクルは、気相冷媒を圧縮するコンプレッサと、コンプレッサにより高温高圧に圧縮されたガス冷媒を凝縮するためのコンデンサと、凝縮された冷媒の気液分離と冷媒中の水分や塵埃の除去を行なうリキッドタンクと、このリキッドタンクからの冷媒を膨張させる膨張弁と、膨張弁からの冷媒と空気とを熱交換するエバポレータとを配管により連結して構成されている。冷媒としては、非塩素系ハロゲン化炭化水素が用いられる。
【０００３】
このような冷凍サイクルにおいては、冷媒の洩れ箇所を検出するために、例えばキサンテン化合物やベリレン化合物からなる冷媒洩れ検出用蛍光剤が冷媒中に混入されている。冷媒洩れ検出用蛍光材は、繊維材に蛍光染料を含浸されて冷凍サイクル中に装填されている。繊維材に含浸されている蛍光染料は、冷媒中に混入している圧縮機用潤滑油と混ざった際に分解し、微小な粒子となって冷媒とともに冷凍サイクル内を循環する。そして、万一、冷凍サイクルからの冷媒の洩れが発生した場合には、漏れが生じたと思われる個所に対して外側から紫外線を照射することにより、照射を受けた冷媒中の蛍光染料が発光し、これにより冷媒の洩れ箇所が容易に発見できるようになっている。
【０００４】
冷媒洩れ検出用蛍光材が内部に配置されたレシーバドライヤが提案されている（特許文献１参照）。このレシーバドライヤにおいては、両端が閉鎖された筒状タンクの上端部に乾燥剤が充填されるとともに、当該筒状タンク内の上端寄りの部分に冷媒通過穴を有する乾燥剤ホルダが取り付けられている。冷媒洩れ検出用蛍光剤は、乾燥剤ホルダに下方に凹んで形成した凹陥部内に収容配置されている。乾燥剤ホルダ上に、凹陥部の開口を閉鎖するように乾燥剤流出防止用フィルタを配置することで、冷媒洩れ検出用蛍光材が乾燥剤に押さえられて固定され、冷媒がタンク内に流入した際にも蛍光材の移動を防止し、タンク内での冷媒の状態の安定を図っている。
【特許文献１】特開２００６−５２９３８号公報
【発明の開示】
【発明が解決しようとする課題】
【０００５】
リキッドタンクへの蛍光剤の組込みに際して、上記のようにリキッドタンク内に設けられる乾燥剤ホルダを利用してこれに収容するとしても、乾燥剤ホルダという部品を必要とし且つ筒状タンクへの組込み作業工程を要する。そこで、蛍光剤をヘッダにおいて配置することで、タンクの内蔵部品を極力削除可能とする点で解決すべき課題がある。
【０００６】
この発明の目的は、蛍光剤をヘッダにおいて配置してタンクの内蔵部品を極力削することにより、タンク内部の構造を簡素化し、蛍光剤を比較的安価な構造で安定保持することができる蛍光剤入りのリキッドタンクを提供することである。
【課題を解決するための手段】
【０００７】
上記の課題を解決するため、この発明によるリキッドタンクは、冷凍サイクルに用いられて冷媒の貯溜と前記冷媒中の水分を除去する機能を有するリキッドタンクであって、有底の円筒状の本体と、当該本体の下端開口部に固着されると共に前記冷媒が流入する入口穴と前記冷媒が流出する出口穴とが形成された円盤状のヘッダと、前記冷媒漏れ検出用の蛍光剤とを備え、前記入口穴は、前記ヘッダの下端面から上方に向けて延びるとともに先端部が前記出口穴と反対の方向に延びて前記ヘッダの側面に開口するように形成され、前記ヘッダの上部に設けられる保持手段を介して前記蛍光剤を前記冷媒と接触可能に保持し、前記保持手段は、前記ヘッダに前記蛍光剤を収容可能に形成された凹部であり、前記凹部に収容された前記蛍光剤の離脱を防止する離脱防止手段を有することを特徴としている。
【０００８】
このリキッドタンクによれば、蛍光剤は、冷媒流入用の入口穴と冷媒流出用の出口穴とが形成された円盤状のヘッダに対し、保持手段を介して当該冷媒と接触可能に保持されているので、入口穴からタンク内に流入しタンク内から出口穴を通じて流出する冷媒が、当該ヘッダを流れる際に蛍光剤と接触し、冷媒中に混入している圧縮機用潤滑油と混ざった際に分解し、微小な粒子となって冷媒とともに冷凍サイクル内を循環する。蛍光剤はヘッダに保持手段を介して保持されるので、リキッドタンクの組立の最後の段階であるヘッダの本体への組付け工程において、蛍光剤がリキッドタンクに組み込まれる。
【発明の効果】
【０００９】
この発明によるリキッドタンクは、上記のように構成されており、蛍光剤はヘッダにおいて保持手段を介して保持されるので、タンク内部に保持する場合と比較して、蛍光剤の保持構造が簡単であって且つ蛍光剤を安定して保持することができ、更に、リキッドタンクの内部の構造が簡素化され、部品点数が少なくなり且つ組立工数も低減されるので、リキッドタンクの製造コストを低減することができる。また、蛍光剤の組込みに既存のストレーナを備えるリキッドタンクの構造を利用する場合には、ヘッダの構造がより簡素化され、軽量化と製造コストの低減化を一層進めることができる。
【発明を実施するための最良の形態】
【００１０】
以下、添付した図面に基づいて、この発明によるリキッドタンクの実施形態について説明する。図１及び図２は、発明によるリキッドタンクのベースとなる構造例を示す図であって、図１はリキッドタンクの縦断面図、図２はその構成を示す部品図である。
【００１１】
全体を符号１００で示すリキッドタンクは、有底の円筒状のタンクである本体１１０と、本体１１０の下端部に位置する開口部１１２を封止する円盤状のヘッダ１２０とを有する。本体１１０の開口部１１２の反対側（図で上端部）に位置する底部１１４は、厚肉部に形成されており、剛性の向上が図られている。
【００１２】
図２に示すように、本体１１０（図２（ａ）に示す）内に封入されるバッグ１３０（図２（ｂ）に示す）は、例えば、プラスチック製の不織布を折り畳んで、その周辺１３２ａ，１３２ｂ，１３２ｃを熱シール又は縫合してバッグ状に形成されている。バッグ１３０内には、乾燥剤１３４が封入される。バッグ１３０は、液体が通過し得る粗さの隙間を有するプラスチック製の不織布で製作されるので、本体１１０内に貯溜される冷媒は、バッグ１３０内の乾燥剤１３４に接触して、冷媒中に含まれる水分が乾燥剤１３４に吸着される。
【００１３】
ヘッダ１２０（図２（ｄ）に示す）の本体１１０内に対向する端面には、薄肉の壁部１２６が形成される。壁部１２６の内部には、冷媒中の異物を捕捉するためのストレーナ１４０（図２（ｃ）に示す）が挿入され、カシメ加工部Ｋ１によりヘッダ１２０に固定される。ストレーナ１４０は、メッシュ金属円板を中高状に加工したものであって、本体１１０内から出口穴１２４に向かう冷媒中の異物を捕捉・除去する機能を有する。
【００１４】
リキッドタンク１００の組立に際しては、本体１１０内にバッグ１３０を封入し、本体１１０の開口部１１２にヘッダ１２０を挿入し、アーク溶接加工Ｗ１により接合を行なう。ヘッダ１２０には、予めストレーナ１４０がカシメ加工部Ｋ１により取付けられている。リキッドタンク１００は、冷媒の入口穴１２２及び出口穴１２４が下方を向く姿勢で空調システム内に装備される。
【００１５】
図３は、この発明によるリキッドタンクの第１実施形態の要部を示す図であって、（ａ）はその上面図、（ｂ）は（ａ）においてＡ−Ａ断面での縦断面図である。本体１１０、ヘッダ１２０、ストレーナ１４０、乾燥剤１３４等については図１及び図２に示した構造と同じであるので、再度の説明を省略する。
【００１６】
第１実施形態では、ヘッダ１２０には、その上部周囲において、蛍光剤１を保持する保持手段として、入口穴１２２及び出口穴１２４から最も離れた位置に蛍光剤１を収容する凹部１０が形成されている。即ち、ヘッダ１２０の周面には、図３（ａ）において入口穴１２２と出口穴１２４とに対して９０度交差する位置を中心として、凹部１０（先端はドリル加工の関係から円錐状になっている）が形成されている。蛍光剤（蛍光剤を含浸させた繊維材）１は、その一部が凹部１０に嵌め込まれた状態でヘッダに装着されており、その状態で凹部１０内に保持されている。凹部１０は、本体１１０の筒状内面と対向して形成されているので、蛍光剤１の直ぐ外側には本体１１０の筒状内面が位置している。したがって、蛍光剤１は少なくとも当初の大きさではヘッダ１２０の凹部１０から不用意に外れてヘッダ１２０から離脱することはない。入口穴１２２から流入した冷媒は、蛍光剤１に触れて分解し、微小な粒子となって出口穴１２４から冷媒とともにリキッドタンク１００の外に流出して冷凍サイクル内を循環する。なお、ストレーナ１４０は、その外周縁部分１４１がカシメＫ１によってヘッダ１２０に固定されている。
【００１７】
この発明によるリキッドタンクの第２実施形態の要部が、縦断面図である図４に示されている。第２実施形態では、ヘッダ１２０には、その内側端部である頂部１５１において蛍光剤１を保持する保持手段としての凹部２０が形成されている。凹部２０の形成位置としては、凹部２０が出口穴１２４と重ならない位置であれば、必ずしもヘッダ１２０の頂部１５１の中心である必要はない。蛍光剤１は、その一部を凹部２０に嵌め込んだ状態でヘッダ１２０に装着される。ヘッダ１２０の組立状態において、蛍光剤１の直ぐ外側には凹部２０を覆う状態にストレーナ１４０がヘッダ１２０に取り付けられているので、蛍光剤１はヘッダ１２０から不用意に外れてヘッダ１２０から離脱することはない。蛍光剤１の冷媒への混入・循環は先の実施形態と同様であるので、再度の説明を省略する。
【００１８】
上記のように、凹部２０によってヘッダ１２０に保持される蛍光剤１は、本体１１０の開口部１１２が溶接される周縁部分１５２から最も遠い位置にある。本体１１０は、その下端部の周縁部分１５２がアーク溶接Ｗ１にてヘッダ１２０に固着されるが、蛍光剤１のこの配置によって、溶接作業時にヘッダ１２０に伝わった後、更に蛍光剤１に伝わる熱量が軽減され、蛍光剤１の熱変質防止の効果が期待される。
【００１９】
この発明によるリキッドタンクの第３実施形態の要部が、縦断面図である図５に示されている。第３実施形態では、ヘッダ１２０にはストレーナ１４０の外側に保持手段としての有底筒状に形成されたカップ状部材３０が取り付けられ、カップ状部材３０の内部に蛍光剤１が収容されることでヘッダ１２０に保持されている。図示の態様では、蛍光剤１はカップ状部材３０と、カップ状部材３０の内側に配置されたストレーナ１４０との間に挟まれて保持されている。蛍光剤１は、カップ状部材３０又はストレーナ１４０に積極的に取り付けてもよい。カップ状部材３０は、冷媒の通過を許容するためにメッシュ板材から成形されており、平坦な底部３１と底部３１に連なる筒部３２とから構成されている。
【００２０】
筒部３２の底部３１とは反対端側には開口部が形成されており、その周縁部分３３は、ストレーナ１４０の外周縁部分１４１と略同じ大きさに形成されている。したがって、ストレーナ１４０に蛍光剤１を間に挟んでカップ状部材３０を重ねて、ストレーナ１４０の外周縁部分１４１とカップ状部材３０の周縁部分３３とをカシメＫ２によってヘッダ１２０の内側端部に対して一緒に共締めすることにより、ストレーナ１４０とカップ状部材３０とを一括してヘッダ１２０に取り付けることができる。
【００２１】
この発明によるリキッドタンクの第４実施形態の要部が、縦断面図である図６に示されている。第４実施形態では、蛍光剤１の保持をより積極的に保持する構造が採用されている。即ち、保持手段としての有底筒状に形成されたカップ状部材４０は、第３実施形態のカップ状部材３０と同様に、メッシュ板材を有底筒状に成形した形状を備えており、平坦な底部４１と底部４１に連なり且つ開口部において周縁部分４３を有する筒部４２とから構成されている。また、ストレーナ１４０は外周縁部分１４１とカップ状部材４０の周縁部分４３とがカシメＫ３によってヘッダ１２０の内側端部に対して共締めされている点も、第３実施形態の場合と同様である。しかしながら、カップ状部材４０は、カップ状部材３０よりも嵩高であって、且つ底部４１には蛍光剤１を収容保持する凹部４５が筒部４２の高さよりも浅く（約半分程度の深さ）且つ外側に向かって開く態様で形成されている。凹部４５に蛍光剤１を収容した後、凹部４５の開口縁部分４３を数カ所でカシメＫ４とすることにより、蛍光剤１は、カップ状部材４０を介してヘッダ１２０に保持されることになり、ヘッダ１２０から離脱するのが防止される。
【００２２】
この発明によるリキッドタンクの第５実施形態の要部が、縦断面図である図７に示されている。第５実施形態では、蛍光剤１のヘッダ１２０への保持は、本体１１０に取り付けられる保持手段としての有底の筒状部材５０を介して行われている。第５実施形態では、蛍光剤１は筒状部材５０とヘッド１２０に取り付けられるストレーナ１４０との協働で行われている。即ち、ストレーナ１４０については、それ自体の形状・構造及びヘッダ１２０への取付け構造は第１実施形態及び第２実施形態と同じである。筒状部材５０については、冷媒が通過可能なメッシュ板材から構成され、有底の略筒状に形成されており、底部５１と、底部５１に繋がる筒部５２とを備えている。底部５１には、筒状部材５０の内側において蛍光剤１を収容可能な凹部５５が形成されている。筒部５２の外径は、筒状部材５０を本体１１０内に挿入可能なように、本体１１０の内径と略等しくされている。
【００２３】
筒状部材５０は、凹部５５に蛍光剤１を収容し底部５１を上にした逆さ状態で、本体１１０内に挿入される。挿入された筒状部材５０の位置は、筒状部材５０のコーナー部分５４が本体１１０の環状一部を外側から内側に突出させるように加工されたノッチＮ５に突き当たることにより規制される。本体１１０にストレーナ１４０が取り付けられたヘッダ１２０が挿入されると、筒状部材５０はノッチＮ５とヘッダ１２０とに当接された状態で本体１１０に対してその長手方向に位置決めされる。蛍光剤１は凹部５５に収容されることでヘッダ１２０に保持されるが、ヘッダ１２０の本体１１０への装着の時点で凹部５５に収容された状態の蛍光剤１はストレーナ１４０によって押さえられ、蛍光剤１は筒状部材５０とストレーナ１４０とで挟まれる状態でヘッダ１２０に保持され、それによって蛍光剤１は凹部５５からの抜け出しが防止される。
【００２４】
この発明によるリキッドタンクの第６実施形態の要部が、縦断面図である図８に示されている。第６実施形態では、蛍光剤１の保持は、第５実施形態と同様に、本体１１０に取り付けられる保持手段としての有底の筒状部材６０を介して行われている。第６実施形態においても、蛍光剤１は筒状部材６０とヘッド１２０に取り付けられるストレーナ１４０との協働で行われている。即ち、ストレーナ１４０については、その詳細は第５実施形態と同じである。筒状部材６０については、冷媒が通過可能なメッシュ板材から構成され、有底の略筒状に形成されており、底部６１と、底部６１に繋がる筒部６２とを備えている。筒部６２の外径は、筒状部材６０を本体１１０内に挿入可能なように、本体１１０の内径と略等しくされている。
【００２５】
筒状部材６０は、底部６１を上にした逆さ状態で本体１１０内に挿入される。挿入された筒状部材６０の位置は、筒状部材６０のコーナー部分６４が本体１１０の環状一部を外側から内側に突出させるように加工されたノッチＮ６に突き当たることにより規制される。次に、蛍光剤１が本体１１０内に挿入され、その後、ストレーナ１４０が取り付けられたヘッダ１２０が本体１１０に挿入されると、筒状部材６０はノッチＮ６とヘッダ１２０とに当接された状態で本体１１０に対してその長手方向に位置決めされる。蛍光剤１は、筒状部材６０に収容されることでヘッダ１２０に保持されるが、ヘッダ１２０の本体１１０への装着の時点で筒状部材６０に収容された蛍光剤１はストレーナ１４０によって押さえられ、蛍光剤１は筒状部材６０とストレーナ１４０との間に挟まれた状態でヘッダ１２０に保持される。
【００２６】
この発明によるリキッドタンクの第７実施形態の要部が図９に示されており、図９（ａ）はその上面図、図９（ｂ）は（ａ）の縦断面図である。第７実施形態では、蛍光剤１のヘッダ１２０に対する保持は、保持手段としての板状保持部材７０を介して行われている。この実施形態では、具体的には、蛍光剤１の保持はストレーナ１７０と板状保持部材７０との協働で行われている。即ち、第７実施形態においては、板状保持部材７０には、出口穴１２４に連なりヘッダ１２０の頂部１５１に開口する開口部１２８に臨む部分には、冷媒が通過するための多数の通過孔７２（代表して一つの孔にのみ符号を付す）が形成されているが、開口部１２８に臨む部分以外の部分にはかかる通過孔は不要であるため形成されていない。後述の蛍光剤１は、ストレーナ１７０上に載せられている。
【００２７】
板状保持部材７０は、通過孔７２が形成されている平坦な基部７１と、基部７１に繋がり蛍光剤を収容する凹部７５とを備えている。ストレーナ１７０は、ヘッダ１２０の頂部１５１の外形よりも僅かに小さい平坦なメッシュ板材から形成された平板形ストレーナであり、周辺は円形の周縁部分１７１となっている。また、板状保持部材７０の外形はストレーナ１７０の外形と略一致しており、基部７１はストレーナ１７０の周縁部分１７１と整合した周縁部分７３を備えている。板状保持部材７０はメッシュ材で形成されてはいないので、凹部７５内に収容された蛍光剤１が冷媒に接触できるように、凹部７５の底部分には小窓７６が形成されている。
【００２８】
板状保持部材７０とストレーナ１７０とは、蛍光剤１を凹部７５に収容した状態で、周縁部分７３と周縁部分１７１を整合する状態に重ねてヘッダ１２０の頂面上に置かれ、その状態で周縁部分７３と周縁部分１７１とを共にカシメＫ７によって締めることによってヘッダ１２０に固定される。蛍光剤１は、板状保持部材７０によってストレーナ１７０を介してヘッダ１０に対して付着される態様で保持される。板状保持部材７０とストレーナ１７０との間で挟まれた蛍光剤１は、凹部７５からの抜け出しが防止される。
【００２９】
この発明によるリキッドタンクの第８実施形態の要部が図１０に示されており、図１０（ａ）はその上面図、図１０（ｂ）は（ａ）の縦断面図である。第８実施形態では、蛍光剤１のヘッダ１２０に対する保持は、保持手段としての板状保持部材８０を介して行われている。この実施形態では、具体的には、蛍光剤１の保持は平板状のストレーナ１８０と板状保持部材８０との協働で行われている。即ち、第８実施形態においては、ストレーナ１８０は、その外形、周縁部分１８１、通過孔１８２（図示せず）等、第７実施形態と同様の構造を有している。
【００３０】
板状保持部材８０は、中央部８１とそこから四方に延びる腕部８２を備えた十字状の形状を有している。各腕部８２の先端部分８３までを含めた板状保持部材８０の大きさはストレーナ１８０の大きさと一致しており、板状保持部材８０をストレーナ１８０と重ねた状態では各腕部８２の先端部分８３は周縁部分１８１と一致している。この重ねた状態でカシメＫ８が施されて、板状保持部材８０とストレーナ１８０とが一括してヘッダ１０に固定される。蛍光剤１は、重ねられた板状保持部材８０の中央部８１によってストレーナ１８０を介してヘッダ１２０に対して付着された状態で保持されている。中央部８１には、蛍光剤１と冷媒との接触を促進するため、第７実施形態の小窓７６と同様な小窓８６を形成することができる。
【００３１】
この発明によるリキッドタンクの第９実施形態の要部が図１１に示されており、図１１（ａ）はその上面図、図１１（ｂ）は（ａ）の縦断面図である。第９実施形態では、蛍光剤１の保持はヘッダ１２０に対して直接に行われる。即ち、ヘッダ１２０の内側端部である頂部１５１には、入口穴１２２を避けて、即ち、例えば中央部分のような干渉しない位置において、蛍光剤１の大きさに対応し且つ蛍光剤１の略全体を収容することができる凹部９０が形成されている。凹部９０に収容された蛍光剤１は、凹部９０の周りに形成された隆起部分を変形させることにより、カシメＫ９で固定される。
【００３２】
したがって、ストレーナ１９０は蛍光剤１の保持とは関係なくヘッダ１２０に配置される。第９実施形態では、ストレーナ１９０はコーン形状を有している。またヘッダ１２０においては、入口穴１２２は、縦軸方向にストレートに内側端部１５１まで貫通して形成されているが、出口穴１２４は、ヘッダ１２０に途中までの深さで形成され、その後、横方向に折れ曲がって入口穴１２２に繋がる連通路１２５が形成されている。ストレーナ１９０は、開口側を入口孔１２２側に向けて、開口端縁部１９０ａを連通路１２５の通路壁に嵌合係止されて横姿勢に取り付けられている。
【００３３】
この発明によるリキッドタンクの第１０実施形態の要部が図１２に示されており、図１２（ａ）はその上面図、図１２（ｂ）は（ａ）の縦断面図である。第１０実施形態では、蛍光剤１の保持は、第９実施形態と同様の構造（凹部９０及びカシメＫ９）によってヘッダ１２０に対して直接に行われているので、再度の説明を省略する。第１０実施形態では、出口穴１２４は、ヘッダ１２０において、縦軸方向に内側端部１２７までストレートに形成されている。第９実施形態の場合と同様に、ストレーナ１９０はコーン形状を有している。ストレーナ１９０は、開口端縁部１９０ａを本体１１０のタンク側に向けて出口穴１２４の通路壁に嵌合・係止されて縦横姿勢に取り付けられている。
【００３４】
この発明によるリキッドタンクの第１１実施形態の要部が図１３に示されており、図１３（ａ）はその上面図、図１３（ｂ）は（ａ）の縦断面図である。第１１実施形態では、蛍光剤１は、入口穴１２２の奥端部９５に保持されている。この例では、蛍光剤１は、入口穴１２２の奥端部９５に圧入することで抜け出しが防止されており、保持用の治具は特に用いられていない。入口穴１２２に流入した冷媒が、その奥端部９５に保持されている蛍光剤１に触れることで、蛍光剤１が冷媒中に微小な粒子となって流れ、冷媒とともに冷凍サイクル内を循環する。
【００３５】
この発明によるリキッドタンクの第１２実施形態の要部が図１４に示されており、図１４（ａ）はその上面図、図１４（ｂ）は（ａ）の縦断面図である。第１２実施形態においても、蛍光剤１は入口穴１２２の奥端部９５に保持されているが、この例では、蛍光剤１は入口穴１２２の奥端部９５に装填されて、奥端部９５に係止される止め輪９６によって抜け出しが防止されている。その他の構成については、図１３に示す第１１実施形態と同様であるので、再度の説明を省略する。
【図面の簡単な説明】
【００３６】
【図１】本発明によるリキッドタンクのベースとなる構造例を示す縦断面図である。
【図２】図１に示すリキッドタンクの構成を示す部品図である。
【図３】本発明によるリキッドタンクの第１実施形態の要部を示す図である。
【図４】本発明によるリキッドタンクの第２実施形態の要部を示す縦断面図である。
【図５】本発明によるリキッドタンクの第３実施形態の要部を示す縦断面図である。
【図６】本発明によるリキッドタンクの第４実施形態の要部を示す縦断面図である。
【図７】本発明によるリキッドタンクの第５実施形態の要部を示す縦断面図である。
【図８】本発明によるリキッドタンクの第６実施形態の要部を示す縦断面図である。
【図９】本発明によるリキッドタンクの第７実施形態の要部を示す図である。
【図１０】本発明によるリキッドタンクの第８実施形態の要部を示す図である。
【図１１】本発明によるリキッドタンクの第９実施形態の要部を示す図である。
【図１２】本発明によるリキッドタンクの第１０実施形態の要部を示す図である。
【図１３】本発明によるリキッドタンクの第１１実施形態の要部を示す図である。
【図１４】本発明によるリキッドタンクの第１２実施形態の要部を示す図である。
【符号の説明】
【００３７】
１  蛍光剤
１０  凹部（保持手段）
２０  凹部（保持手段）
３０  カップ状部材（保持手段）        ３１  底部          ３２  筒部
３３  開口縁部分
４０  カップ状部材（保持手段）        ４１  底部          ４２  筒部
４３  開口縁部分                      ４５  凹部
５０  筒状部材（保持手段）            ５１  底部          ５２  筒部
５４  コーナー部分                    ５５  凹部
６０  筒状部材（保持手段）            ６１  底部          ６２  筒部
６４  コーナー部分
７０  板状保持部材（保持手段）        ７１  基部          ７２  通過孔
７３  周縁部分                        ７５  凹部          ７６  小窓
８０  板状保持部材（保持手段）        ８１  中央部        ８２  腕部
８３  先端部分                        ８６  小窓
９０  凹部                            ９５  奥端部        ９６  止め輪
１００  リキッドタンク              １１０  本体
１１２  開口部                      １２０  ヘッダ
１２２  入口穴                      １２４  出口穴
１２５  連通路                      １２６  薄肉の壁部
１２７  内側端部                    １２８  開口部
１３０  バッグ                      １３４  乾燥剤
１４０  ストレーナ                  １４１  外周縁部分
１５１  頂部                        １５２  周縁部分
１７０  ストレーナ                  １７１  周縁部分
Ｋ１，Ｋ３，Ｋ４，Ｋ７，Ｋ９  カシメ
Ｗ１  アーク溶接
Ｎ５，Ｎ６  ノッチ
【図１】
0005379977.tif 000002
【図２】
0005379977.tif 000003
【図３】
0005379977.tif 000004
【図４】
0005379977.tif 000005
【図５】
0005379977.tif 000006
【図６】
0005379977.tif 000007
【図７】
0005379977.tif 000008
【図８】
0005379977.tif 000009
【図９】
0005379977.tif 000010
【図１０】
0005379977.tif 000011
【図１１】
0005379977.tif 000012
【図１２】
0005379977.tif 000013
【図１３】
0005379977.tif 000014
【図１４】
0005379977.tif 000015